(57)【要約】【課題】従来に比べてコストの低減、生産性の向上を図り、且つ、リード部品の接合強度を十分確保できる補強措置を提供する。【解決手段】補強措置として、ジャンパー線１５をプリント配線板１１のリード部品挿入穴１３の周辺に実装する。ジャンパー線１５によって、プリント配線板１１に掛かる応力を分散させ、プリント配線板１１の局所に応力が集中するのを抑制することができる。また、ジャンパー線１５は、電子制御装置において回路構成上必要な他の電子部品と同じ自動実装機で実装できるので、専用の設備、治具と工数作業を排除することができる。【選択図】図１
2006012873.tif 000002
【特許請求の範囲】
【請求項１】
フロー半田付け工法を用いて、リード部品（リード端子付き電子部品）をプリント配線板に接合する電子制御装置において、リード部品の接合の耐久性を向上させるため、ジャンパー線をプリント配線板のリード部品挿入穴の周辺に実装することを特徴とする電子制御装置。
【請求項２】
ジャンパー線を、プリント配線板のフロー半田付けする面の反対面側より実装した請求項１に記載の電子制御装置。
【請求項３】
ジャンパー線を、プリント配線板のフロー半田付けする面側より実装した請求項１に記載の電子制御装置。
【請求項４】
ジャンパー線を、リード部品挿入穴の上に被せて実装した請求項３に記載の電子制御装置。
【発明の詳細な説明】
【技術分野】
【０００１】
本発明は、フロー半田付け工法を用いて、リード部品をプリント配線板に接合する電子制御装置において、重量部品や接続部品など特に接合強度が要求されるリード部品に対して、補強措置を施した電子制御装置に関するものである。
【背景技術】
【０００２】
従来、この種の電子制御装置は、補強措置として、リード部品をフロー半田付け後、半田鏝を使用して、半田フィレットに盛り半田をしている（例えば特許文献１参照）。また、プリント配線板のリード部品挿入穴に予め、はとめを挿入しているものもある（例えば特許文献２参照）。
【０００３】
図４は、従来の電子制御装置を示すものである。図４（ａ）は、フロー半田付けにより生成した半田フィレット１７の上に、半田鏝を使用して盛り半田をしている。
【０００４】
また、図４（ｂ）は、プリント配線板１１にはとめ１９を挿入した後、リード部品１２を実装して、フロー半田付けを行っているものである。
【特許文献１】実開平５−９３０２９号公報
【特許文献１】特開昭５５−２１１７１号公報
【発明の開示】
【発明が解決しようとする課題】
【０００５】
しかしながら、前記従来の構成では、盛り半田をする場合、リード部品に応力が与えられた時、プリント配線板の銅箔部が基材から剥がれることがあり、リード部品の接合強度の向上を図る必要があった。更に人海戦術による生産方式が主流のため、コストの低減と生産性の向上を図る必要もあった。
【０００６】
また、はとめを挿入する場合、リード部品の接合強度は十分確保できる反面、一般的に専用の設備または治工具を使った人海戦術による生産方式が主流のため、コストの低減と生産性の向上を図る必要があった。
【０００７】
本発明は、前記従来の課題を解決するもので、コストの低減、生産性の向上を図り、且つ、リード部品の接合強度を十分確保できる補強措置を提供することを目的とする。
【課題を解決するための手段】
【０００８】
前記従来の課題を解決するために、本発明の電子制御装置は、補強措置として、ジャンパー線をプリント配線板のリード部品挿入穴の周辺に実装したものである。
【０００９】
これによって、フロー半田付け後にリード部品に応力が与えられた際、ジャンパー線は、リード部品の端子と同じ半田フィレットで接合し、且つ、プリント配線板の半田付けする面の反対面側にも固定されているため、プリント配線板に掛かる応力を分散する役割を果たす。
【００１０】
また、ジャンパー線は、一般的に電子部品の実装分野で広く普及している汎用の自動実装機を使用して、電子制御装置において回路構成上必要な他の電子部品と同じ工程で実装することができる。
【発明の効果】
【００１１】
本発明の電子制御装置における補強措置は、ジャンパー線によってプリント配線板に掛かる応力を分散し、プリント配線板の局所に応力が集中するのを抑制することができる。また、ジャンパー線は、電子制御装置において回路構成上必要な他の電子部品と同じ自動実装機で実装できるので、専用の設備、治具と工数作業を排除することができる。
【発明を実施するための最良の形態】
【００１２】
第１の発明は、フロー半田付け工法を用いて、リード部品をプリント配線板に接合する電子制御装置において、ジャンパー線をプリント配線板のリード部品挿入穴の周辺に実装することにより、フロー半田付け後にリード部品に応力が与えられた際、ジャンパー線は、リード部品の端子と同じ半田フィレットで接合し、且つ、プリント配線板の半田付けする面の反対面側にも固定されているため、プリント配線板に掛かる応力を分散する役割を果たし、リード部品の接合強度を向上することができる。
【００１３】
なお、リード部品とジャンパー線が、別々のランド、半田フィレットで接合されている場合でも、双方が近くに実装されていれば、同様の効果が得られるので、特に同じランド、半田フィレットに限定するものではない。
【００１４】
また、ジャンパー線は、電子制御装置において回路構成上必要な他の電子部品と同じ自動実装機で実装できるので、同時にコストの低減と生産性の向上を図ることができる。
【００１５】
第２の発明は、特に、第１の発明のジャンパー線を、プリント配線板のフロー半田付けする面の反対面側より実装することにより、ジャンパー線の大部分は、フロー半田付けする面の反対面側に置かれることになる。従って、フロー半田付けしたジャンパー線は、プリント配線板に掛かる応力を効果的に分散して、リード部品の接合強度を向上することができる。またこの場合、通常、他の電子部品と同じ面側からの実装方向となるため、最も高い生産性を得ることができる。
【００１６】
第３の発明は、特に、第１の発明のジャンパー線を、プリント配線板のフロー半田付けする面側より実装することにより、ジャンパー線の大部分は、フロー半田付けする面側に置かれることになる。従って、フロー半田付けの際、このジャンパー線は、より多くの半田をランドに集める効力を発揮して、リード部品の半田フィレットが高くなり、特に重量のあるリード部品に対して、効果的に接合強度を向上することができる。
【００１７】
第４の発明は、特に、第３の発明のジャンパー線を、リード部品挿入穴の上に被せて実装することにより、ジャンパー線は、プリント配線板のランドとリード部品の端子の間に置かれることになる。従って、フロー半田付けの際、ジャンパー線は、双方に半田を繋ぐ役割を果たして、第３の発明の効果に加えて、ブローホールなどの半田付け不良を効果的に抑制することができる。
【００１８】
以下、本発明の実施の形態について、図面を参照しながら説明する。なお、この実施の形態によって本発明が限定されるものではない。
【００１９】
（実施の形態１）
図１は、本発明の実施の形態１における電子制御装置を示すものである。
【００２０】
図１において、プリント配線板１１は、リード部品１２を実装するリード部品挿入穴１３と、通常フロー半田付けにより接合するランド１４を有する。また、リード部品挿入穴１３の近傍にジャンパー線１５を実装するジャンパー線挿入穴１６を有し、ジャンパー線挿入穴１６は、ランド１４の内部に設けてある。この前記プリント配線板１１において、ジャンパー線１５とリード部品１２をランド１４と反対側の面より実装し、ランド１４を
フロー半田付けしている。この際、ジャンパー線１５は、リード部品１２と同一の半田フィレット１７によって接合される。
【００２１】
以上のように構成された電子制御装置について、以下その動作、作用を説明する。
【００２２】
まず、フロー半田付けの際、ランド１４には、リード部品１３の端子に加えて、ジャンパー線１５の端子も存在するため、より多くの半田をランド１４に集めて、良好な半田フィレット１７を形成することができる。
【００２３】
また、ジャンパー線１５の大部分は、プリント配線板１１のランド１４と反対側の面に置かれることになる。従って、フロー半田付けしたジャンパー線１５は、プリント配線板に掛かる応力を効果的に分散して、リード部品の接合強度を向上することができる。
【００２４】
（実施の形態２）
図２は、本発明の実施の形態２における電子制御装置を示すものである。
【００２５】
図２において、プリント配線板１１は、リード部品１２を実装するリード部品挿入穴１３と通常、フロー半田付けにより接合するランド１４を有する。また、リード部品挿入穴１３の近傍にジャンパー線１５を実装するジャンパー線挿入穴１６を有し、ジャンパー線挿入穴１６は、ランド１４の内部に設けてある。この前記プリント配線板１１において、ジャンパー線１５をランド１４の面より実装、リード部品１２をランド１４と反対側の面より実装し、ランド１４をフロー半田付けしている。この際、ジャンパー線１５は、リード部品１２と同一の半田フィレット１７によって接合される。
【００２６】
以上のように構成された電子制御装置について、動作、作用は、実施の形態１と共通であるが、ジャンパー線１５の大部分は、プリント配線板１１のランド１４に置かれることになる。従って、フロー半田付けしたジャンパー線１５は、より多くの半田をランド１４に集める効力を発揮して、半田フィレット１７が高くなり、特に重量部品に対し、効果的に接合強度を向上することができる。
【００２７】
また、特に、図３のように本実施の形態のジャンパー線１５をリード部品挿入穴１３の上に被せて実装することにより、ジャンパー線１５は、プリント配線板１１のランド１４とリード部品１２の端子の間に置かれることになる。従って、フロー半田付けの際、ジャンパー線１５は、双方に半田を繋ぐ役割を果たして、上記の効果に加えてブローホールなどの半田付け不良を抑制することができる。
【産業上の利用可能性】
【００２８】
以上のように、本発明にかかる電子制御装置はプリント配線板に対する接合強度の向上が可能となるので、プリント配線板に半田付けによって固定が可能な放熱板などの補強の用途にも適用できる。
【図面の簡単な説明】
【００２９】
【図１】本発明の実施の形態１における電子制御装置の説明図
【図２】本発明の実施の形態２における電子制御装置の説明図
【図３】本発明の実施の形態２における他の電子制御装置の説明図
【図４】（ａ）従来の電子制御装置の説明図（ｂ）従来の他の電子制御装置の説明図
【符号の説明】
【００３０】
１１  プリント配線板
１２  リード部品
１３  リード部品挿入穴
１４  ランド
１５  ジャンパー線
１６  ジャンパー線挿入穴
１７  半田フィレット
１８  ヤニ入り半田
１９  はとめ
【図１】
2006012873.tif 000003
【図２】
2006012873.tif 000004
【図３】
2006012873.tif 000005
【図４】
2006012873.tif 000006